【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
食器洗浄機であって、
少なくとも１つの噴霧アームと、該噴霧アーム上の少なくとも１つの噴霧ノズルとを含む洗浄チャンバを区画形成するエンクロージャーであって、ドアとベントを有するエンクロージャーと、
熱回収システムと、を備え、
前記熱回収システムは、
ａ．前記ベントを通って前記洗浄チャンバと流体連通する第１の流路であって、該第１の流路は第１の端部と第２の端部とドレンとを有し、前記第１の端部が前記ベントの近傍に配置され、前記第２の端部が前記第１の端部の反対側に配置され、前記ドレンは前記洗浄チャンバと流体連通して前記第１の流路から前記洗浄チャンバに凝縮物を排出するために構成され、前記第１の流路は、更に、前記第２の端部に配置された排気ポートを有し、該排気ポートは前記洗浄チャンバと流体連通すると共に、前記ドアが閉鎖位置にあるときに前記食器洗浄機の外側の環境と連通する、前記第１の流路と、
ｂ．外部水源と前記洗浄チャンバとの間を延びると共に、外部水源と前記洗浄チャンバとに流体連通する第２の流路と、
ｃ．冷媒で満たされた閉鎖ループ回路を有する冷媒昇圧型熱交換回路であって、該冷媒昇圧型熱交換回路は、前記第１の流路内に延びて、該第１の流路内で流体から熱を吸収するように構成された第１のコイルと、前記第２の流路内に延びて、該第２の流路内で流体に熱を放出するように構成された第２のコイルとを有する、前記冷媒昇圧型熱交換回路と、を備え、
一体型水質調査システムを有することを特徴とする食器洗浄機。
【請求項２】
前記熱回収システムは、前記洗浄チャンバから前記第１の流路に空気を収集するように構成されたさらにファンを含む、請求項１に記載の食器洗浄機。
【請求項３】
更にブースタヒーターを含む、請求項１に記載の食器洗浄機。
【請求項４】
前記一体型水質調査システムは食器洗浄機に配置されている、請求項１に記載の食器洗浄機。
【請求項５】
前記一体型水質調査システムは、硬水軟化剤、容量式脱イオン化システム、搭載型逆浸透システム及びイオン交換樹脂から成るグループから選択される、請求項１に記載の食器洗浄機。
【請求項６】
前記一体型水質調査システムは導電率プローブを備える、請求項１に記載の食器洗浄機。
【請求項７】
前記第１の流路は該第１の流路と前記食器洗浄機の外側の環境との間に入口を有する、請求項１に記載の食器洗浄機。
【請求項８】
前記第２の流路は前記熱回収システムの外側にあるタンクを有する、請求項１に記載の食器洗浄機。
【請求項９】
前記熱回収システムは、前記食器洗浄機から生じる熱負荷を超える熱交換能力を有する請求項１に記載の食器洗浄機。
【請求項１０】
食器洗浄機であって、
少なくとも１つの噴霧アームと、該噴霧アーム上の少なくとも１つの噴霧ノズルとを含む洗浄チャンバを区画形成するエンクロージャーであって、ドアとベントを有するエンクロージャーと、
熱回収システムであって、
ａ．前記洗浄チャンバと前記食器洗浄機の外側の環境に接続する第１の流路であって、該第１の流路は、前記ベントを有する第１の端部と、該第１の端部の反対側に配置される排気ポートを有する第２の端部と、ドレンと、を備え、該ドレンは前記洗浄チャンバと流体連通する、前記第１の流路と、
ｂ．外部水源と前記洗浄チャンバとの間を延びると共に、前記外部水源と前記洗浄チャンバとに流体連通する第２の流路と、を備え、
前記熱回収システムは、前記第１の流路内の流体から前記第２の流路内の流体に熱を伝達するように設けられている、前記熱回収システムと、
一体型水質調査システムと、
を備えることを特徴とする食器洗浄機。
【請求項１１】
前記一体型水質調査システムは、硬水軟化剤、容量式脱イオン化システム、搭載型逆浸透システム、イオン交換樹脂又はそれらの組み合わせである、請求項１０に記載の食器洗浄機。
【請求項１２】
前記一体型水質調査システムは硬水軟化剤である、請求項１１に記載の食器洗浄機。
【請求項１３】
前記一体型水質調査システムはコントローラに動作可能に接続されている、請求項１０に記載の食器洗浄機。
【請求項１４】
前記コントローラは、前記一体型水質調査システムによって提供される水質処理の程度を調整するように構成されている、請求項１３に記載の食器洗浄機。
【請求項１５】
前記一体型水質調査システムは導電率プローブを備え、前記コントローラは前記導電率プローブから受け取った情報に基づいて水質処理の程度を調整するように構成されている、請求項１４に記載の食器洗浄機。
【請求項１６】
食器洗浄機であって、
少なくとも１つの噴霧アームと、該噴霧アーム上の少なくとも１つの噴霧ノズルとを含む洗浄チャンバを区画形成するエンクロージャーであって、該エンクロージャーはドアとベントを有し、前記エンクロージャーは洗浄される物品を含むラックを収容するように構成され、該ラックは洗浄される物品に対応するタイプである、エンクロージャーと、
熱回収システムであって、
ａ．前記洗浄チャンバ及び前記食器洗浄機の外側の環境と流体連通する第１の流路であって、該第１の流路は、前記ベントを有する第１の端部と、前記第１の端部の反対側に配置された排気ポートを有する第２の端部と、ドレンとを、備え、該ドレンは前記洗浄チャンバと流体連通する、前記第１の流路と、
ｂ．外部水源と前記洗浄チャンバとの間を延びると共に、前記外部水源と前記洗浄チャンバとに流体連通する第２の流路と、
ｃ．閉鎖ループ回路を備える冷媒昇圧型熱交換回路であって、該閉鎖ループ回路は、前記第１の流路内に延びて、該第１の流路内で流体から熱を吸収するように構成された第１のコイルと、前記第２の流路内に延びて、該第２の流路内で流体に熱を放出するように構成された第２のコイルとを有する、前記冷媒昇圧型熱交換回路と、を備える熱回収システムと、
前記ラックのタイプに基づいて前記食器洗浄機の動作パラメータを調整するように構成されたコンとロールシステムと、を備える、
ことを特徴とする食器洗浄機。
【請求項１７】
前記ラックのタイプを識別するように構成されたラック識別システムを備える、請求項１６に記載の食器洗浄機。
【請求項１８】
前記ラック識別システムは、前記コントロールシステムとデータ通信し、該コントロールシステムに前記ラックのタイプについての情報を提供するように構成されている、請求項１７に記載の食器洗浄機。
【請求項１９】
前記コントロールシステムは、前記ラックのタイプについて前記ラック識別システムから情報を受けるように構成され、該情報に基づいて前記食器洗浄機の動作パラメータを調整するように構成されている、請求項１７に記載の食器洗浄機。
【請求項２０】
前記コントロールシステムは、予測される汚れの程度を決定し、該汚れの程度に基づいて前記食器洗浄機の動作パラメータを自動で調整するように構成されている、請求項１９に記載の食器洗浄機。
【請求項２１】
前記コントロールシステムは、一日の時刻に基づいて前記食器洗浄機の動作パラメータを調整するように構成されている、請求項２０に記載の食器洗浄機。
【請求項２２】
前記コントロールシステムは、曜日に基づいて前記食器洗浄機の動作パラメータを調整するように構成されている、請求項２０に記載の食器洗浄機。
【請求項２３】
前記コントロールシステムは、ラックのタイプ毎のデータを収集及び累積し、累積された前記データに基づいて前記食器洗浄機の動作パラメータを調整するように構成されている、請求項１６に記載の食器洗浄機。
【請求項２４】
前記コントロールシステムは、累積された前記データに基づいて使用頻度の多いときを決定し、前記食器洗浄機の動作パラメータを自動調整するように構成されている、請求項２３に記載の食器洗浄機。
【請求項２５】
前記コントロールシステムは、累積された前記データに基づいて使用頻度の少ないときを決定し、前記食器洗浄機の動作パラメータを自動調整するように構成されている、請求項２３に記載の食器洗浄機。
【請求項２６】
前記ラック識別システムは前記ラックに対してＲＦＩＤタグを使用する、請求項１７に記載の食器洗浄機。
【請求項２７】
食器洗浄機を作動する方法であって、
前記食器洗浄機は、
少なくとも１つの噴霧アームと、該噴霧アーム上の少なくとも１つの噴霧ノズルとを含む洗浄チャンバを区画形成するエンクロージャーであって、前記洗浄チャンバと流体連通する一つ以上のタンクと、コントローラと、前記エンクロージャーから出る流体から該エンクロージャーに入る流体に熱を伝える熱回収システムとを有するエンクロージャー備え、
前記方法は、
前記一つ以上のタンクの少なくとも一つに水性組成物を噴霧するステップと、
前記一つ以上のタンクの少なくとも一つにおいて前記水性組成物に脱灰組成物を適用するステップと、
前記食器洗浄機の内面を脱灰する必要性を決定し、及びその必要性が現にあるかどうかを決定し、脱灰サイクルを開始するために前記コントローラを使用するステップと、を備え、
前記脱灰組成物は前記エンクロージャー内を循環する、
ことを特徴とする食器洗浄機を作動する方法。
【請求項２８】
前記食器洗浄機は新鮮水流入点を備え、前記脱灰組成物を前記新鮮水流入点に供給される、請求項２７に記載の方法。
【請求項２９】
前記脱灰組成物は、前記脱灰サイクル中に前記エンクロージャーの全ての流体担持表面から石灰かすを取り除く、請求項２７に記載の方法。
【請求項３０】
前記一つ以上のタンクは圧送式すすぎのための水を貯蔵するタンクを有し、前記脱灰組成物は圧送式すすぎのための水を貯蔵するタンクに供給される、請求項２７に記載の方法。
【請求項３１】
前記一つ以上のタンクは複数のタンクであり、前記食器洗浄機は、第１のタンク又は第２のタンクに選択的に水を方向付けするダイバータプレートを備え、前記脱灰サイクルは、前記第１のタンクから前記脱灰組成物をポンピングし、前記ダイバータプレートを使用しる前記第２のタンクに方向付けすることを有する、請求項２７に記載の方法。
【請求項３２】
前記第２のタンクは配管及びすすぎアームに接続され、前記脱灰サイクルは、配管及びすすぎアームを介して前記第２のタンクから前記脱灰組成物をポンピングする、請求項３１に記載の方法。
【請求項３３】
前記コントローラは定期的に前記脱灰サイクルを開始する、請求項２７に記載の方法。
【請求項３４】
前記脱灰サイクルは環境変数によって決定される周期的な繰り返しで実施される、請求項２７に記載の方法。
【請求項３５】
前記環境変数は水質である、請求項３４に記載の方法。
【請求項３６】
前記食器洗浄機は一体型水質調査システムを備える、請求項２７に記載の方法。
【請求項３７】
前記一体型水質調査システムは前記食器洗浄機内の水に対して水質処理を自動的に実施する、請求項２７に記載の方法。
【請求項３８】
前記一体型水質調査システムは、硬水軟化剤、容量式脱イオン化システム、搭載型逆浸透システム、イオン交換樹脂又はそれらの組み合わせである、請求項３６に記載の方法。
【請求項３９】
前記コントローラは前記食器洗浄機内の水の硬度を決定する、請求項３６に記載の方法。
【請求項４０】
前記コントローラは、前記硬度の程度に基づいて前記一体型水質調査システムによる水質処理は開始する、請求項３９に記載の方法。
【請求項４１】
前記食器洗浄機は前記硬度の程度を決定する導電率プローブを備え、該導電率プローブは前記コントローラとデータ通信する、請求項３９に記載の方法。